(57)【特許請求の範囲】
【請求項１】
桁に、ストレッチフィルムを係止するためのストレッチフィルム取り付け部材が取り付けられている合成樹脂製パレットにおいて、リベットを構成する雌部の円筒部を、前記ストレッチフィルム取り付け部材のリベット挿入孔及び前記桁に穿設された取り付け孔に挿通するとともに、前記リベットを構成する雌部の螺子孔に、ボルトを螺合することにより、前記リベットを構成する雌部の円筒部に形成された縮径状の肉厚部を、外側に拡張させて、前記桁内に位置する前記リベットを構成する雌部の円筒部の先端部を、前記桁に穿設された取り付け孔の内径を越えて拡張させることにより、前記桁に、前記ストレッチフィルム取り付け部材が取り付けられるように構成されていることを特徴とする合成樹脂製パレット。
【発明の詳細な説明】
【０００１】
【発明の属する技術分野】
本発明は、物品が載置された合成樹脂製パレットを、物品ごと、ストレッチフィルムで梱包するのに適した合成樹脂製パレットに関するものである。
【０００２】
【従来の技術】
従来、合成樹脂製パレットへのストレッチフィルムの巻き付け開始時には、ストレッチフィルムの先端部分を、合成樹脂製パレットのデッキ面と合成樹脂製パレットに載置されている物品との間に挟んだり、或いは、合成樹脂製パレットのデッキ面に形成されている孔に挿通して結んだり、更には、合成樹脂製パレットの桁に結ぶようにしている。
【０００３】
【発明が解決しようとする課題】
従来のように、ストレッチフィルムの先端部分を、合成樹脂製パレットのデッキ面と合成樹脂製パレットに載置されている物品との間に挟む場合には、合成樹脂製パレットに載置された物品を持ち上げなければならず、特に、物品が重い場合には、作業者の作業負担が増加するとともに、ストレッチフィルムの挟み込みに時間がかかるという問題があった。また、ストレッチフィルムの先端部分を、合成樹脂製パレットのデッキ面に形成されている孔に挿通し結ぶ場合には、合成樹脂製パレットに載置された物品が邪魔になったり、或いは、物品を移動しなければならないという問題があった。更には、ストレッチフィルムの先端部分を、合成樹脂製パレットの桁に結ぶ場合にも、フォーク挿入孔に挿通されたストレッチフィルムの先端部分を、桁の周りに巻回しなければならず、桁へのストレッチフィルムの先端部分の結び付け作業の作業性が悪いという問題があった。
【０００４】
本発明の目的は、上述した従来の合成樹脂製パレットが有する課題を解決することにある。
【０００５】
【課題を解決するための手段】
本発明は、上述した目的を達成するために、桁に、ストレッチフィルムを係止するためのストレッチフィルム取り付け部材が取り付けられている合成樹脂製パレットにおいて、リベットを構成する雌部の円筒部を、前記ストレッチフィルム取り付け部材のリベット挿入孔及び前記桁に穿設された取り付け孔に挿通するとともに、前記リベットを構成する雌部の螺子孔に、ボルトを螺合することにより、前記リベットを構成する雌部の円筒部に形成された縮径状の肉厚部を、外側に拡張させて、前記桁内に位置する前記リベットを構成する雌部の円筒部の先端部を、前記桁に穿設された取り付け孔の内径を越えて拡張させることにより、前記桁に、前記ストレッチフィルム取り付け部材が取り付けられるように構成したものである。
【０００６】
【実施例】
以下に、本発明の実施例について説明するが、本発明の趣旨を越えない限り何ら、本実施例に限定されるものではない。
【０００７】
先ず最初に、図１を用いて、一例としての本発明の合成樹脂製パレット（以下、単に、パレットともいう。）について説明する。
【０００８】
パレットは、合成樹脂で、それぞれ、一体に成形された半製品である上部スキッドＳ１と下部スキッドＳ２とを、桁部で溶着することにより形成されている。平面形状が方形状の上部スキッドＳ１は、四隅に形成された隅桁部１ａ’と、隅桁部１ａ’の中間に形成された中間桁部１ｂ’と、中央部に形成された中央桁部（図示されていない。）とを有し、また、同じく、平面形状が方形状の下部スキッドＳ２は、四隅に形成された隅桁部１ａ”と、隅桁部１ａ”の中間に形成された中間桁部１ｂ”と、中央部に形成された中央桁部（図示されていない。）とを有しており、上部スキッドＳ１と下部スキッドＳ２とは、それぞれ、合成樹脂で一体に成形されている。そして、上部スキッドＳ１の隅桁部１ａ’の端面、中間桁部１ｂ’の端面及び中央桁部の端面と、下部スキッドＳ２の隅桁部１ａ”の端面、中間桁部１ｂ”の端面及び中央桁部の端面とを、それぞれ、互いに溶着することにより、両面使用のパレットが形成される。
【０００９】
上述したようにして形成されたパレットは、上部デッキボードｐ１と下部デッキボードｐ２と、四隅に形成された隅桁部１ａ’、１ａ”からなる筒状の隅桁１ａと、隅桁１ａの中間に形成された中間桁部１ｂ’、１ｂ”とからなる筒状の中間桁１ｂと、中央桁部（図示されていない。）とからなる筒状の中央桁とを有するとともに、隅桁１ａと中間桁１ｂとの間及び中間桁１ｂと中央桁との間には、フォークリフトのフォークが挿入可能なフォーク差し込み口ｐ３が形成されている。そして、このような構成を有するパレットは、上部デッキボードｐ１に物品を載置することも、また、パレットを引っ繰り返して、下部デッキボードｐ２を上にして、その上に物品を載置することもできる、所謂、両面使用のパレットに形成されている。
【００１０】
２は、ストレッチフィルム取り付け部材であり、ストレッチフィルム取り付け部材２は、円盤部２ａと、円盤部２ａの裏面に突設された円筒部２ｂと、円盤部２ａと円筒部２ｂの中心部を貫通するリベット挿入孔２ｃとを有している。ストレッチフィルム取り付け部材２は、合成樹脂により一体に成型されている。
【００１１】
３は、ストレッチフィルム取り付け部材２をパレットに取着するためのリベットであり、リベット３は、円盤部３ａと、円盤部３ａの裏面に形成された円筒部３ｂと、円盤部３ａと円筒部３ｂの中心部を貫通するとともに、内周に螺子溝が形成された螺子孔３ｃとからなる雌部３’を有しており、円筒部３ｂには、その軸線方向に、適当数のスリット３ｄが形成されており、円筒部３ｂの下部には、縮径状の肉厚部３ｅが形成されている。３”は、螺子孔３ｃに螺合されるボルトであり、ボルト３”の頭部３ｆは、雌部３’を構成する円盤部３ａの中央部に形成された凹部３ｇに嵌合されるように構成されている。上記の雌部３’とボルト３”により、リベット３が構成されている。
【００１２】
１ｃは、一例として、隅桁１ａの側壁に穿設された取り付け孔であり、取り付け孔１ｃの内径は、リベット３の雌部３’の円筒部３ｂの外径と略同じであり、取り付け孔１ｃに、リベット３の雌部３’の円筒部３ｂが挿入できるように構成されている。
【００１３】
ストレッチフィルム取り付け部材２を、パレットの隅桁１ａに取り付けるには、先ず最初に、図３に示されているように、ストレッチフィルム取り付け部材２のリベット挿入孔２ｃに、リベット３を構成する雌部３’の円筒部３ｂを挿通するとともに、リベット３を構成する雌部３’の円筒部３ｂを、パレットの隅桁１ａに穿設された取り付け孔１ｃに挿通する。次いで、リベット３を構成する雌部３’の螺子孔３ｃに、同じくリベット３を構成するボルト３”を螺合すると、ボルト３”の先端部が、円筒部３ｂの下部に形成された縮径状の肉厚部３ｅを、外側に拡張するので、パレットの隅桁１ａに穿設された取り付け孔１ｃに挿通され、隅桁１ａ内に位置する雌部３’の円筒部３ｂの先端部が、取り付け孔１ｃの内径を越えて拡張し、パレットの隅桁１ａに、ストレッチフィルム取り付け部材２が、雌部３’とボルト３”からなるリベット３により取り付けられることになる。
【００１４】
このようにして、パレットの隅桁１ａに取り付けられたストレッチフィルム取り付け部材２の円筒部２ｂの周囲に、紐状に纏められたストレッチフィルムＦの先端部を、図５に示されているように、適当回数、巻回することにより、ストレッチフィルムＦの先端部が、パレットの隅桁１ａに係止されることになる。このように、紐状に纏められたストレッチフィルムＦの先端部を、ストレッチフィルム取り付け部材２の円筒部２ｂの周囲に、適当回数、巻き付けることにより、確実に、しかも、迅速に、ストレッチフィルムＦを、パレットに係止することができる。
【００１５】
上述したようなストレッチフィルム取り付け部材２は、各パレットの隅桁１ａに取り付けることもできるが、また、中間桁１ｂに取り付けることもできる。本実施例においては、ストレッチフィルム取り付け部材２が、対角線状にある隅桁１ａに取り付けられている例が示されている。
【００１６】
次に、図６〜図８を用いて、他のストレッチフィルム取り付け部材２について説明する。
【００１７】
この実施例においては、ストレッチフィルム取り付け部材２は、正面形状が方形状に台座部２ｄと、台座部２ｄの下端から下方に延在する舌片部２ｅとを有しており、また、台座部２ｄの外壁には、上述したリベット３の雌部３’を構成する円盤部３ａが入り込むことができる凹部２ｆが形成されている。
【００１８】
上述した実施例と同様に、ストレッチフィルム取り付け部材２は、パレットの隅桁１ａに、リベット３により取り付けられるが、ストレッチフィルム取り付け部材２は、台座部２ｄの上端に形成された水平フランジ２ｇが、上部デッキボードｐ１に形成されている庇部ｐ１’の下面に、接近或いは当接するように取り付けられるとともに、ストレッチフィルム取り付け部材２の舌片部２ｅと隅桁１ａの側壁面１ａ１との間には、適当な間隙２ｈが形成されるように構成されている。
【００１９】
図８に示されているように、ストレッチフィルムＦの先端部に結び目ｆ１を形成し、結び目ｆ１が形成されたストレッチフィルムＦの先端部を、ストレッチフィルム取り付け部材２の舌片部２ｅと隅桁１ａの側壁面１ａ１との間に形成された間隙２ｈに挿入して、ストレッチフィルムＦの結び目ｆ１を、ストレッチフィルム取り付け部材２の舌片部２ｅに引っ掛けることにより、ストレッチフィルムＦの先端部を、パレットの隅桁１ａに係止する。このように、ストレッチフィルムＦの先端部に結び目ｆ１を、ストレッチフィルム取り付け部材２の舌片部２ｅに引っ掛けることにより、確実に、しかも、迅速に、ストレッチフィルムＦを、パレットに係止することができる。
【００２０】
上述したように、ストレッチフィルム取り付け部材２の台座部２ｄの上端に形成された水平フランジ２ｇを、上部デッキボードｐ１に形成されている庇部ｐ１’の下面に、接近或いは当接するように取り付けられることにより、ストレッチフィルム取り付け部材２の回転を防止することができ、ストレッチフィルム取り付け部材２の舌片部２ｅに引っ掛けられたストレッチフィルムＦが、ストレッチフィルム取り付け部材２から外れることを防止することができる。
【００２１】
図９及び図１０に示されている実施例は、図２〜図５に示されているストレッチフィルム取り付け部材２と同様のストレッチフィルム取り付け部材２を、２個のリベット３により取り付けるようにしたものである。このように、２個のリベット３により、ストレッチフィルム取り付け部材２を、パレットの隅桁１ａに取り付けることにより、ストレッチフィルム取り付け部材２の回転を防止することができ、ストレッチフィルム取り付け部材２に巻き付けられたストレッチフィルムＦの先端部が、ストレッチフィルム取り付け部材２から外れることを防止することができる。
【００２２】
図１１及び図１２に示されている実施例には、図６〜図８に示されている実施例における舌片部２ｅを、台座部２ｄの下端から略横方向外側に延在する２枚の羽根状舌片部２ｅ’により形成するとともに、２個のリベット３により、ストレッチフィルム取り付け部材２を、パレットの隅桁１ａに取り付けるようにしたものである。このように、舌片部２ｅを、２枚の羽根状舌片部２ｅ’とすることにより、何方の舌片部２ｅ’にも、ストレッチフィルムＦの結び目ｆ１を引っ掛けることができ、より迅速に、ストレッチフィルムＦを、パレットに係止することができる。また、２個のリベット３により、ストレッチフィルム取り付け部材２を、パレットの隅桁１ａに取り付けることにより、ストレッチフィルム取り付け部材２の回転を防止することができ、ストレッチフィルム取り付け部材２の舌片部２ｅ’に引っ掛けられたストレッチフィルムＦの先端部が、ストレッチフィルム取り付け部材２の回転により、ストレッチフィルム取り付け部材２から外れることを防止することができる。
【００２３】
図１３に示されている実施例は、図２〜図５に示されているストレッチフィルム取り付け部材２の円盤部２ａに、ストレッチフィルム取り付け部材２がパレットの隅桁１ａに取り付けられた際に、隅桁１ａの側壁面１ａ１に接近或いは当接する環状凸部２ａ’を形成したものである。このような環状凸部２ａ’を形成したことにより、ストレッチフィルム取り付け部材２の円筒部２ｂの周囲に巻回されたストレッチフィルムＦの先端部が、環状凸部２ａ’に圧接されて、ストレッチフィルム取り付け部材２の円筒部２ｂから外れるのを確実に防止することができる。
【００２４】
図１４及び図１５に示されている実施例は、ストレッチフィルム取り付け部材２を、ストレッチフィルムＦの先端部に形成された結び目ｆ１が挿入可能な透孔２ｉ’と、該透孔２ｉ’に連通するとともに、ストレッチフィルムＦの先端部に形成された結び目ｆ１が引っ掛かる程度のスリットとして形成された透孔２ｉ”からなる透孔部２ｉにより構成したものである。このようなストレッチフィルム取り付け部材２としての透孔部２ｉは、パレットの隅桁１ａ等の桁の側壁に形成されている。
【００２５】
ストレッチフィルムＦの先端部に形成された結び目ｆ１を、ストレッチフィルムＦの先端部に形成された結び目ｆ１が挿入可能な透孔２ｉ’に挿入した後、ストレッチフィルムＦの先端部に形成された結び目ｆ１を、透孔２ｉ”に移動させることにより、透孔２ｉ”の両側に位置する隅桁１ａの側壁に、ストレッチフィルムＦの先端部に形成された結び目ｆ１を、引っ掛けるように構成されている。このように、ストレッチフィルムＦの先端部に形成された結び目ｆ１を、透孔２ｉ”の両側に位置する隅桁１ａの側壁に引っ掛けるだけの作業により、確実に、しかも、迅速に、ストレッチフィルムＦを、パレットに係止することができ、ストレッチフィルムＦのパレットへの係止作業の作業性が向上する。
【００２６】
上述した実施例においては、ストレッチフィルム取り付け部材２を、リベット３により、パレットの桁に取り付けた例が示されているが、ストレッチフィルム取り付け部材２を、パレットと一体に成型し、リベット３を使用しないように構成することもできる。
【００２７】
【発明の効果】
本発明は、以上説明した構成を有しているので、以下に記載する効果を奏するものである。
【００２８】
ストレッチフィルムの先端部をパレットに係止するストレッチフィルム係止作業の作業性が向上する。
【００２９】
紐状に纏められたストレッチフィルムの先端部を、ストレッチフィルム取り付け部材の円筒部の周囲に巻き付けることにより、確実に、しかも、迅速に、パレットに、ストレッチフィルムを係止することができる。
【００３０】
ストレッチフィルムの先端部に結び目を、ストレッチフィルム取り付け部材の舌片部に引っ掛けることにより、確実に、しかも、迅速に、ストレッチフィルムを、パレットに係止することができる。
【００３１】
ストレッチフィルムの先端部に形成された結び目を、透孔の両側に位置する桁の側壁に引っ掛けるだけの作業により、確実に、しかも、迅速に、ストレッチフィルムを、パレットに係止することができ、ストレッチフィルムのパレットへの係止作業の作業性が向上する。
【図面の簡単な説明】
【図１】図１は本発明の合成樹脂製パレットの斜視図である。
【図２】図２は本発明の合成樹脂製パレットに取着されるストレッチフィルム取り付け部材等の分解斜視図である。
【図３】図３は図２に示されているストレッチフィルム取り付け部材が取着される前の合成樹脂製パレットの部分垂直断面図である。
【図４】図４は図２に示されているストレッチフィルム取り付け部材が取着された状態の合成樹脂製パレットの部分垂直断面図である。
【図５】図５は図２に示されているストレッチフィルム取り付け部材が取着された状態の合成樹脂製パレットの部分斜視図である。
【図６】図６は別のストレッチフィルム取り付け部材が取着された本発明の別の実施例の合成樹脂製パレットの部分斜視図である。
【図７】図７は図６に示されている合成樹脂製パレットの部分垂直断面図である。
【図８】図８は図６に示されているストレッチフィルム取り付け部材が取着された状態の合成樹脂製パレットの部分斜視図である。
【図９】図９は更に別のストレッチフィルム取り付け部材が取着された本発明の別の実施例の合成樹脂製パレットの部分斜視図である。
【図１０】図１０は図９に示されている合成樹脂製パレットの部分垂直断面図である。
【図１１】図１１は更にまた別のストレッチフィルム取り付け部材が取着された本発明の別の実施例の合成樹脂製パレットの部分斜視図である。
【図１２】図１２は図１１に示されている合成樹脂製パレットの部分垂直断面図である。
【図１３】図１３はなお更に別のストレッチフィルム取り付け部材が取着された本発明の別の実施例の合成樹脂製パレットの部分垂直断面図である。
【図１４】図１４はまた更に別のストレッチフィルム取り付け部材が配設された本発明の別の実施例の合成樹脂製パレットの部分斜視図である。
【図１５】図１５は図１４に示されている合成樹脂製パレットの部分垂直断面図である。
【符号の説明】
Ｆ・・・・・・・・・・・ストレッチフィルム
ｆ１・・・・・・・・・・結び目
Ｓ１・・・・・・・・・・上部スキッド
Ｓ２・・・・・・・・・・下部スキッド
１ａ・・・・・・・・・・隅桁
２・・・・・・・・・・・ストレッチフィルム取り付け部材
３・・・・・・・・・・・リベット
【図１】
0004310024.tif 000002
【図２】
0004310024.tif 000003
【図３】
0004310024.tif 000004
【図４】
0004310024.tif 000005
【図５】
0004310024.tif 000006
【図６】
0004310024.tif 000007
【図７】
0004310024.tif 000008
【図８】
0004310024.tif 000009
【図９】
0004310024.tif 000010
【図１０】
0004310024.tif 000011
【図１１】
0004310024.tif 000012
【図１２】
0004310024.tif 000013
【図１３】
0004310024.tif 000014
【図１４】
0004310024.tif 000015
【図１５】
0004310024.tif 000016